(57)【要約】      （修正有）【課題】弦楽器の低音域の足りなさを克服するために、低音域を拡張する方法を提供する。【解決手段】弦楽器の従来のナットに替えて低音弦部分を取り除いた高音弦用ナットを備え、サドルからの弦長を前記高音弦用ナットの位置よりも長く取った１音もしくは半音低い音程が取れる位置に、低音弦用の新たなナットを備える。【選択図】図２
2011002569.tif 000002
【特許請求の範囲】
【請求項１】
従来のナットの低音弦部分を取り除いた高音弦用ナットと、サドルからの弦長を前記高音弦用ナットの位置よりも長く取った位置に、新たに低音弦用ナットを備えたことを特徴とする弦楽器。
【請求項２】
請求項１記載の弦楽器において、従来の指板先端から低音弦用ナットまでの間に、新たに指板を備えたことを特徴とする弦楽器。
【請求項３】
請求項１と請求項２に記載の弦楽器において、新たに備えられた指板上に０フレットと−1フレットを備えたことを特徴とする弦楽器。
【請求項４】
請求項１記載の弦楽器において、低音弦を弦巻の軸に対して直角に巻き取れるようにするための傾斜台を備えたことを特徴とする弦楽器。
【請求項５】
請求項１記載の弦楽器において、弦を、障害物を避けて弦巻に導く事ができるようにするための滑車を備えたことを特徴とする弦楽器。
【請求項６】
請求項１と請求項２と請求項３に記載の弦楽器において、０フレットを常に押し弦するためのカポタストを装着できる台を備えたことを特徴とする弦楽器。
【発明の詳細な説明】
【技術分野】
【０００１】
本発明は、弦楽器の低音域の拡張に関するものである。
【背景技術】
【０００２】
４度調律弦楽器のギターやベースの最低音は、Ｅ（ギターＥ２、ベースＥ１）である。
【０００３】
その最低音より低い音程を出すために、ギターでは、第６弦の調律を従来よりも1音下げて調律したり、各弦間の調律を５度調律にしたりして低音域を拡張する工夫をしている。
【０００４】
また、低音弦を一本追加し７弦ギターにして低音域を拡張する工夫もしている。
【０００５】
そのほか、ギターのすべての弦の弦長を従来よりも長くし、４度低い音程に調律にすることによって低音域を拡張しているサイズの一回り大きいバスギターもある。
【０００６】
ベースでは、従来の４弦ベースを、５弦ベースや６弦ベースにして低音域を拡張する工夫をしている。
【０００７】
一方、５度調律弦楽器のチェロやバイオリンなどでは、一般的にオーケストラの中で演奏され各パートの音域が合理的に設定されているため、その必要はない。
【０００８】
しかし、今日、チェロとピアノやバイオリンとギターなどシンプルな合奏形態で演奏されることも多くなり、低音域の拡張が求められている。
【０００９】
ここで、４度調律弦楽器と５度調律弦楽器の違いを説明しておく。
４度調律弦楽器とは、低音弦側から、最初の弦をＣ（ド）とした場合、次の弦はＦ（ファ）、その次の弦はＢ♭（シ♭）、その次の弦はＥ♭（ミ♭）・・・と、４度音程刻みで調律された弦楽器のことで、５度調律弦楽器とは、低音弦側から、最初の弦をＣ（ド）とした場合、次の弦はＧ（ソ）、その次の弦はＤ（レ）、その次の弦はＡ（ラ）・・・と５度音程刻みで調律された弦楽器のことである。
【先行技術文献】
【特許文献】
【００１０】
【特許文献１】特表２００３−５０４６７２号公報
【発明の概要】
【発明が解決しようとする課題】
【００１１】
以下、発明が解決しようとする課題を、音楽の中での低音域の役割を理解してもらうために、和音の出せる弦楽器ギターを例に説明していく。
【００１２】
従来のギター各弦の調律音は、第６弦Ｅ２、第５弦Ａ２、第４弦Ｄ３、第３弦Ｇ３、第２弦Ｂ３、第１弦Ｅ４である。
そして、最低音は、第６弦のＥ２である。
【００１３】
ギターの低音域の音程が集中している指板のローポジション（４フレット以内）において、ルート音（和音を構成する土台の音で、一番低い音）を、最低音から半音きざみで１２音階取ろうとすると、第６弦のＥ２，Ｆ２，Ｆ＃２，Ｇ２，Ａ♭２と、第５弦のＡ２，Ｂ♭２，Ｂ２，Ｃ３，Ｄ♭３、そして、第４弦のＤ３，Ｅ♭３となり、３本の弦に渡って取ることになる。
【００１４】
更に、第４弦のＤ３，Ｅ♭３の音程を見てみると、ルート音としては決して十分な低さとは言えない音程にある。
【００１５】
なぜなら、その上に重なるその他の和音構成音の音程も高くなってしまい、メロディー音と重なってしまう可能性があるからだ。
【００１６】
このことを奏法で見てみると、第４弦でルート音を弾く場合、その他の和音構成音を弾くのに、第３弦と第２弦と第１弦で弾くパターンの一つだけだが、第６弦または、第５弦のルート音で弾く場合、その他の和音構成音を弾くのに、第３弦と第２弦と第１弦、もしくは、第４弦と第３弦と第２弦で弾く二つのパターンから選んで演奏することができる。
【００１７】
したがって、伴奏で第４弦のルート音を弾く場合は、その他の和音構成音がメロディー音と重ならないように、狭い音域の中で和音構成音を探らなければならない事になる。
【００１８】
そこで、第６弦をＥ２から１音下げてＤ２に調律する方法を用いたりするのだが、この方法だと、メロディーと和音構成音域の問題は解決されるのだが、６弦において他のフレットポジションでも１音下がってしまうために、今まで押さえていたコードフォーム（和音を押し弦する指の形）では６弦の音を正しく取れず、コードフォームを変えなければならない欠点がある。
【００１９】
また、低音弦を追加し低音域を広げる方法だが、これもコードを押さえる弦が増える事によってコードフォームが複雑になり、今までよりも難しい演奏技術が必要となる欠点がある。
【００２０】
それから、５度調律にする方法は、メロディーを弾くのには適しているが、和音を弾くには構成音の音域が広くなりすぎるため適さない調律である。
【００２１】
本発明は、このような従来の弦楽器構造が有している問題を解決しようとするものであり、従来のギターと殆ど変わらない本体サイズで、低音弦の調律を変えることなく、低音弦を増やすことなく、既存の低音弦のみで低音域を拡張し、無理のない自然な奏法による演奏と音楽創りができる弦楽器を提供することを目的とするものである。
【課題を解決するための手段】
【００２２】
以上の課題を解決するために、弦楽器の従来のナットに替えて低音弦部分を取り除いた高音弦用ナットを備え、サドルからの弦長を前記高音弦用ナットの位置よりも長く取った１音もしくは半音低い音程が取れる位置に、低音弦用の新たなナットを備える。
【００２３】
更に、従来の指板の先端部分から新たに備えられた低音弦用ナットまでの間に、新たな指板を備える。
【００２４】
フレット使用弦楽器（ギターやベース）においては、新たに備えられた指板上、高音弦用ナットのカットされた低音弦部分に０フレットを備え、その位置より半音低い音程が取れる位置に−１フレットを備える。
【００２５】
また、弦巻の種類により、低音弦を弦巻の軸に対して直角に巻き取れない場合は、弦巻取り付け傾斜台を備える。
【００２６】
更に、新たに備えた指板の土台が障害物となって弦を直接弦巻に巻き取れない場合は、その障壁を避けて弦巻きに導く事ができる滑車を備える。
【００２７】
そして、ギターにおいては、第６弦を従来の音程（Ｅ２）にして演奏できるようにもするために、０フレットを常に押し弦するカポタストを装着できる台を備える。
【発明の効果】
【００２８】
本発明の弦楽器は、ギターソロ、ギターデュオ、弾き語り、バンドでのエレキベー  ス、ピアノとチェロなど、さまざまな形態で、今まで出せなかった低音域をもって新たな音楽創りを可能にするものである。
【図面の簡単な説明】
【００２９】
【図１】本発明の実施形態を示すギターの全体図
【図２】本発明の実施形態を示すフォークおよびエレキギターのヘッド部斜視図
【図３】本発明の実施形態を示すフォークおよびエレキギターのヘッド部正面図
【図４】本発明の実施形態を示すフォークおよびエレキギターのヘッド部側面図
【図５】本発明の実施形態を示すクラシックギターのヘッド部斜視図
【図６】本発明の実施形態を示すエレキベースのヘッド部斜視図
【図７】本発明の実施形態を示すウッドベースのヘッド部斜視図
【図８】本発明の実施形態を示すチェロのヘッド部斜視図
【発明を実施するための形態】
【００３０】
以下、本発明を図面に示す実施の形態に基づいて詳細に説明する。
【００３１】
図１のギターは、音量の増幅を目的としたボディー１と、音程のコントロールを目的とした指板を有するネック２と、本発明の低音域の拡張を目的とした部品および弦巻を備えたヘッド３の、大きく分けて三つの部分から成っている。
【００３２】
６本の弦は、図１のボディーのブリッジ４に片端がピン６で固定され、図２の第１弦１８から第５弦２２は、図１のサドル５を経て図２のナットａ７に支持され、図２の第６弦２３は、図１のサドル５を経て図２のナットｂ８に支持され、それぞれが図１のヘッド３にある図２の６個の弦巻１６に巻き取られている。
【００３３】
図２において、ナットa７は、従来のナットの第６弦２３部分が取り除かれたもので、第１弦１８から第５弦２２までを支持し、調律は、第１弦１８はＥ４、第２弦１９はＢ３、第３弦２０はＧ３、第４弦２１はＤ３、第５弦２２はＡ２の音程（従来のまま）である。
【００３４】
ナットｂ８ は、第６弦２３を従来の最低音Ｅ２より1音低い音程Ｄ２にするために、弦長を1音程分長くしたヘッド上の位置に備えられるナットで、指板ａ９と同じ水平方向上に伸ばされた指板ｂ１０の先端に備える。
【００３５】
その位置は、図１のサドル５からナットａ７までの弦長（＝従来の弦長）が６５０．００ｍｍの場合、図１のサドル５から、およそ７２９．６０ｍｍの位置となる。
Ｔ２＝Ｍ×（２の１２乗根）×（２の１２乗根）
≒Ｍ×１．０５９４６３１×１．０５９４６３１
≒Ｍ×１．１２２４６２
６５０．００ｍｍ×１．１２２４６２≒７２９．６０ｍｍ（理論値）
Ｔ２：図１のサドル５からナットｂ８までの弦長
Ｍ：図１のサドル５から高音弦用ナットａ７までの弦長＝従来の弦長
２の１２乗根：1オクターブを均等な１２の半音に分けた音律（十二平均律）
【００３６】
また、ギターなどフレット使用弦楽器には、指板b１０上に、０フレット１１と−1フレット１２を備える。
【００３７】
−１フレット１２の位置は、図１のサドル５からナットa７までの弦長（＝従来の弦長）が６５０．００ｍｍのギターの場合、図１のサドル５から、およそ６８８．６５ｍｍの位置となる。
Ｔ１＝Ｍ×（２の１２乗根）
≒Ｍ×１．０５９４６３１
６５０．００ｍｍ×１．０５９４６３１≒６８８．６５ｍｍ（理論値）
Ｔ１：図１のサドル５から−１フレット１２位置までの弦長
【００３８】
０フレット１１の位置は、ナットa７と指板a９の接触面にはならない。
【００３９】
なぜなら、指で押し弦することによって音を出すフレットでは、弦に張力が加わる事により理論値の位置では音程が僅かに高くなるからである。
【００４０】
そのため、押し弦しなくては音を出せない０フレット１１の位置は、押し弦しなくても音を出せるナットａ７の位置より僅かにナットｂ８方向よりの位置になる。
押し弦による張力の係数を１．００５とすると、サドル５から０フレット１１までの弦長は６５３．２５ｍｍとなる。
６５０．００ｍｍ×１．００５＝６５３．２５ｍｍ
【００４１】
同じように押し弦する−１フレット１２の位置も、理論値より僅かにナットｂ８方向よりの位置になる。
押し弦による張力の係数を１．００５とすると、サドル５から−１フレット１２までの弦長は６８８．６５ｍｍとなる。
６８８．６５ｍｍ×１．００５≒６９２．０９ｍｍ
【００４２】
また、それらの位置は、弦の太さによっても張力が異なってくるため、サドルを削るなどして各弦の弦長は微調整される。
【００４３】
図２の第６弦２３の弦巻１６を取り付けるための傾斜台１３は、弦巻１６の軸に対して直角に第６弦２３を巻き取れるようにするためのものである。
【００４４】
図２の滑車１４は、指板b１０の土台が障壁となって直接弦巻１６の軸に巻き取れない５弦２２を、その障壁を避けて弦巻きに導くためのものである。
【００４５】
図２のカポタスト取り付け台１５は、第６弦２３を従来のギターと同じＥ２にするために、０フレット１１にカポタスト（弦を常に押し弦状態にするための機具）を装着するための台である。
【００４６】
図５は、本発明の部品を備えたクラシックギターのヘッド部の斜視図である。
最低音は、従来よりも１音程低いＤ２である。
【００４７】
図６は、本発明の部品を備えたエレキベースのヘッド部の斜視図である。
最低音は、従来よりも１音程低いＤ１である。
従来のエレキベースの調律は、第４弦２１Ｅ１、第３弦２０Ａ１、第２弦１９Ｄ２、第１弦１８Ｇ２である。
【００４８】
図７は、本発明の部品を備えたウッドベースのヘッド部の斜視図である。
最低音は、従来よりも１音程低いＤ１である。
従来のウッドベースの調律は、第４弦２１Ｅ１、第３弦２０Ａ１、第２弦１９Ｄ２、第１弦１８Ｇ２である。
【００４９】
図８は、本発明の部品を備えたチェロのヘッド部の斜視図である。
最低音は、従来よりも半音低いＢ１である。
この図では、第４弦２１と共に第３弦２０も従来よりも半音低い音程Ｆ＃２が取れるナットｂ８を備えている。
従来のチェロの調律は、第４弦２１Ｃ２、第３弦２０Ｇ２、第２弦１９Ｄ３、第１弦１８Ａ３である。
【００５０】
ちなみに、チェロを１音ではなく半音拡張にしているのは、弦楽器の演奏主流の＃調音階（管楽器では、♭調）からみて、第４弦２１Ｃ２と第３弦２０Ｇ２の直下の音階が、それぞれ半音下のＢ１とＦ＃２になるからである。
【実施例】
【００５１】
ここで、実際の演奏例により本発明ギターの特徴を説明する。
【００５２】
｜Ｃ  ｜ＧｏｎＢ  ｜Ａｍ  ｜ＥｍｏｎＧ  ｜Ｆ  ｜Ｅｍ  ｜Ｄｍ７  ｜Ｇ７  ｜というようなルート音が徐々に下降していくコード進行があるとする。
【００５３】
これを従来のギターを使ってローポジションで伴奏した場合のルート音は、｜Ｃ  ｜ＧｏｎＢ  ｜Ａｍ  ｜の所は第５弦２２を弾き、｜ＥｍｏｎＧ  ｜Ｆ  ｜Ｅｍ  ｜の所は第６弦２３を弾き、ここまでは徐々に下降していくルート音取りができるのだが、｜Ｄｍ７  ｜の所で１オクターブ高い第４弦２１を弾かならなければならなくなり、それまでのルート音の自然な流れが崩れてしまう。
【００５４】
しかし、本発明のギターを使ってローポジションで伴奏した場合のルート音では、｜Ｃ  ｜ＧｏｎＢ  ｜Ａｍ  ｜の所は第５弦２２を弾き、｜ＥｍｏｎＧ  ｜Ｆ  ｜Ｅｍ  ｜から｜Ｄｍ７  ｜の所まで第６弦２３のみで弾けるようになるため、徐々に下降していく自然な流れのルート音取りが出来るようになる。
【００５５】
また、別のコード進行で見てみる。
｜Ａｍ７  ｜Ｄ７  ｜Ｂ７ｏｎＤ＃  ｜Ｅｍ  ｜Ａｍ７  ｜Ａｍ７ｏｎＤ  ｜Ｇ  ｜というような５度進行しているコード進行があるとする。
【００５６】
これを従来のギターを使って、ローポジションで伴奏した場合のルート音を見てみると、｜Ａｍ７  ｜は第５弦２２を弾き、｜Ｄ７  ｜Ｂ７ｏｎＤ＃  ｜Ｅｍ  ｜は第４弦２１を弾き、｜Ａｍ７  ｜は第５弦２２を弾き、｜Ａｍ７ｏｎＤ  ｜は第４弦２１を弾き、｜Ｇ  ｜は第６弦２３を弾くことになる。
【００５７】
同じように、本発明のギターを使ってローポジションで伴奏した場合のルート音を見てみると、従来のギターと同じルート音の取り方も出来るのだが、他に、｜Ａｍ７  ｜は第５弦２２を弾き、｜Ｄ７  ｜Ｂ７ｏｎＤ＃  ｜Ｅｍ  ｜は第６弦２３を弾き、｜Ａｍ７  ｜は第５弦２２を弾き、｜Ａｍ７ｏｎＤ  ｜Ｇ  ｜は第６弦２３を弾くという低い方でのルート音取りも可能になり、低音域で安定感のあるパターンも使えるようになる。
【符号の説明】
【００５８】
１  ボディー
２  ネック
３  ヘッド
４  ブリッジ
５  サドル
６  ピン
７  ナットa
８  ナットb
９  指板a
１０  指板b
１１  ０フレット
１２  −１フレット
１３  ６弦用弦巻取り付け傾斜台
１４  ５弦用誘導滑車
１５  カポタスト取り付け台
１６  弦巻
１７  １フレット
１８  １弦
１９  ２弦
２０  ３弦
２１  ４弦
２２  ５弦
２３  ６弦
【図１】
2011002569.tif 000003
【図２】
2011002569.tif 000004
【図３】
2011002569.tif 000005
【図４】
2011002569.tif 000006
【図５】
2011002569.tif 000007
【図６】
2011002569.tif 000008
【図７】
2011002569.tif 000009
【図８】
2011002569.tif 000010
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
指板先端に取り付けられた低音弦部分を取り除いた高音弦用ナットと、サドルからの弦長を前記高音弦用ナットより長く取った位置に設置した低音弦用ナットと、前記高音弦用ナットの低音弦部分が取り除かれた部分から前記低音弦用ナットまでの間に設置した新たな指板と、前記新たな指板上の所定の位置に−１フレットを設置した弦楽器において、低音弦が、前記高音弦用ナットの低音弦部分が取り除かれた位置にて、ナットにより開放で出していた音程の音を、前記新たな指板上にて、押し弦することにより出せる位置に設置した０フレットと、前記０フレットに前記低音弦を常に押し弦することのできるカポタストを装着するための台を、前記高音弦用ナット近傍のヘッド側に、前記台に装着するカポタストが前記低音弦以外の弦を押さえることがないように設置した事を特徴とするフレット使用弦楽器。 
【手続補正２】
【補正対象書類名】明細書
【補正対象項目名】００２２
【補正方法】変更
【補正の内容】
【００２２】
以上の課題を解決するために、本発明は、指板先端に取り付けられた低音弦部分を取り除いた高音弦用ナットと、サドルからの弦長を前記高音弦用ナットより長く取った位置に設置した低音弦用ナットと、前記高音弦用ナットの低音弦部分が取り除かれた部分から前記低音弦用ナットまでの間に設置した新たな指板と、前記新たな指板上の所定の位置に−１フレットを設置した弦楽器において、低音弦が、前記高音弦用ナットの低音弦部分が取り除かれた位置にて、ナットにより開放で出していた音程の音を、前記新たな指板上にて、押し弦することにより出せる位置に設置した０フレットと、前記０フレットに前記低音弦を常に押し弦することのできるカポタストを装着するための台を、前記高音弦用ナット近傍のヘッド側に、前記台に装着するカポタストが前記低音弦以外の弦を押さえることがないように設置した事を特徴とするフレット使用弦楽器を提案するものである。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】